(57)【要約】【課題】左右何れの手によっても略同様の操作性を確保し得るカメラを提供する。【解決手段】略直方体形状からなり右手使用の際の右手姿勢と同姿勢に対し天地逆転姿勢であって左手使用の際の左手姿勢との二姿勢のいずれか一方で使用される本体部１０と、右手姿勢のとき背面から見て右側部に配置され右手で把持される部分となり左手姿勢のとき背面から見て左側部に配置され左手で把持される部分となるグリップ部１４と、右手姿勢のとき背面から見て上面右側に配される第１撮影指示部材１５と左手姿勢のとき背面から見て上面左側に配される第２撮影指示部材１６と、本体部の背面に配される画像表示部２０と、本体部の背面に配され本体部の長手方向に沿う中心線Ｃに対し略対称に配される一群の操作部２１，３１と、中心線を垂線としグリップ部を下側としたとき一群の操作部の指示内容が正規状態で視認し得るように附される指標２７，２８，３７とを備えて構成する。【選択図】図３
2006343429.tif 000002
【特許請求の範囲】
【請求項１】
略直方体形状からなり、右手で使用される際の右手姿勢とこの右手姿勢に対して天地逆転した姿勢であって左手で使用される際の左手姿勢との二つの姿勢のいずれか一方の形態で使用される本体部と、
上記本体部を右手姿勢としたときに上記本体部の背面から見て右側部に配置され右手によって把持される部分となり、上記本体部を左手姿勢としたときには上記本体部の背面から見て左側部に配置され左手によって把持される部分となるグリップ部と、
上記本体部を右手姿勢としたときに上記本体部の背面から見て上面右側となる位置に配置され、同右手姿勢で使用する際の第１撮影指示部材と、
上記本体部を左手姿勢としたときに上記本体部の背面から見て上面左側となる位置に配置され、同左手姿勢で使用する際の第２撮影指示部材と、
上記本体部の背面に配設される画像表示部と、
上記本体部の背面に配設され、同本体部の長手方向に沿う中心線に対して略対称に配置される複数の操作部材からなる一群の操作部と、
上記中心線を垂線としかつ上記グリップ部を下側とした姿勢の上記本体部の背面を見たときに、上記一群の操作部の各操作部材の指示内容を示す情報が正規の状態で視認し得るように示される指標と、
を具備することを特徴とするカメラ。
【請求項２】
上記画像表示部は、上記中心線に対して略対称となる位置に配置されることを特徴とする請求項１に記載のカメラ。
【請求項３】
上記一群の操作部は、上記画像表示部を挟んでその両側縁部近傍に配置される第１の操作部と第２の操作部とからなり、
上記第１の操作部は、上記グリップ部寄りの部位に配置され、かつ上記第１の操作部は、ダイヤル操作部材を含むことを特徴とする請求項１に記載のカメラ。
【請求項４】
上記本体部を上記右手姿勢としたときの底面には、上記グリップ部の内部に形成される電池室の開口を開閉自在とする電池蓋が配設されており、
上記第２撮影指示部材は、上記電池蓋に配設されていることを特徴とする請求項１に記載のカメラ。
【発明の詳細な説明】
【技術分野】
【０００１】
この発明は、カメラ、詳しくは操作部材の配置を工夫することで左右いずれの手によっても常に良好な操作性を得られるように構成したカメラに関するものである。
【背景技術】
【０００２】
従来の一般的なカメラにおいては、右手によって操作されることを前提とした部材配置がなされた設計となっている。この場合、利き手が左手である使用者であっても右手による操作を強いられることになる。
【０００３】
そこで、左右のいずれの手によっても良好に操作し得るように部材配置を工夫して、使用者の利き手に関らず、常に良好な操作性を確保し得るようにしたカメラについては、例えば特開２００１−３１８４２１号公報や特開２００４−３４０９９１号公報等によって従来より種々の提案がなされている。
【０００４】
上記特開２００１−３１８４２１号公報によって開示されているカメラは、本体部の上面部と下面部との所定の部位にそれぞれレリースボタンを配置して、カメラ自体を天地逆転した形態で使用し得るように構成している。これにより、使用者は、二つのレリースボタンのうちのいずれか一方を利き手で操作するように構えることができ、操作性を阻害することなく、左右いずれの手によっても常に同様の操作性を確保することができるというものである。
【０００５】
一方、近年においては、光学像を電気信号に光電変換する撮像素子を有し、この撮像素子によって画像データを取得する形態のいわゆるデジタルカメラについて、種々の提案がなされ、また広く実用化されている。
【０００６】
一般的な従来のデジタルカメラにおいては、本体部の背面側に液晶表示装置等の画像表示部を設け、この画像表示部の周縁部近傍に各種の操作部材を配置するような構成となっているのが普通である。ここで、操作部材としては、例えば撮影時におこなう撮影条件等の設定操作や、再生時におこなう画像検索操作等に用いられる押圧式ボタンやＸＹ方向ボタン等である。
【０００７】
このようなデジタルカメラにおいて、左右いずれの手によっても良好な操作性を確保するには、レリースボタンのみならず、その他の各種操作部材の配置をも工夫する必要がある。
【０００８】
そこで、上記特開２００４−３４０９９１号公報によって開始されているカメラにおいては、カメラ上面の左右両端近傍にそれぞれレリースボタンを配設すると共に、画像表示部にはタッチパネルを重ねて配置することで、使用者の使用形態に応じてタッチパネルの操作部領域を左端または右端のいずれか一方への切り換え配置されるように構成している。つまり、右手で右手用のレリースボタンを操作すべく構えた時には、本体部を把持する右手寄りの部位に各種操作部領域が配置され、左手で左手用のレリースボタンを操作すべく構えた時には、本体部を把持する左手寄りの部位に各種操作部領域が配置されるようになっている。これにより、使用者が利き手で本体部を把持したとき、利き手が左右いずれの場合にも同様の操作性を得ることができるというものである。
【特許文献１】特開２００１−３１８４２１号公報
【特許文献２】特開２００４−３４０９９１号公報
【発明の開示】
【発明が解決しようとする課題】
【０００９】
ところが、上記特開２００１−３１８４２１号公報によって開示されているカメラは、レリースボタンの操作性にのみ着目したものであり、本体部の背面側等に設けられる各種の操作部材の操作性についてはなんら考慮されていないものである。
【００１０】
また、上記特開２００４−３４０９９１号公報によって開示されているカメラは、背面側に設けられる画像表示部に操作部領域の配置を自由に切り換えることのできるタッチパネルを用いたものである。
【００１１】
しかしながら、タッチパネルは、押しボタン等の通常の機械的な操作部材と比較すると操作性において劣るという問題点がある。また、タッチパネル自体は、高価なものであることから、これを採用するカメラ自体の製造コストも高価なものになってしまうという問題点がある。
【００１２】
本発明は、上述した点に鑑みてなされたものであって、その目的とするところは、左右何れの手によってもレリース操作をおこない得る形態とし、かつ略同様の操作性を確保しながら、カメラ背面側に配設される複数の操作部材の操作性をも考慮した部材配置を実現し、常に良好な操作性を得ることのできるカメラを提供することである。
【課題を解決するための手段】
【００１３】
上記目的を達成するために、本発明によるカメラは、略直方体形状からなり、右手で使用される際の右手姿勢とこの右手姿勢に対して天地逆転した姿勢であって左手で使用される際の左手姿勢との二つの姿勢のいずれか一方の形態で使用される本体部と、上記本体部を右手姿勢としたときに上記本体部の背面から見て右側部に配置され右手によって把持される部分となり、上記本体部を左手姿勢としたときには上記本体部の背面から見て左側部に配置され左手によって把持される部分となるグリップ部と、上記本体部を右手姿勢としたときに上記本体部の背面から見て上面右側となる位置に配置され、同右手姿勢で使用する際の第１撮影指示部材と、上記本体部を左手姿勢としたときに上記本体部の背面から見て上面左側となる位置に配置され、同左手姿勢で使用する際の第２撮影指示部材と、上記本体部の背面に配設される画像表示部と、上記本体部の背面に配設され、同本体部の長手方向に沿う中心線に対して略対称に配置される複数の操作部材からなる一群の操作部と、上記中心線を垂線としかつ上記グリップ部を下側とした姿勢の上記本体部の背面を見たときに、上記一群の操作部の各操作部材の指示内容を示す情報が正規の状態で視認し得るように示される指標とを具備することを特徴とする。
【発明の効果】
【００１４】
本発明によれば、左右何れの手によってもレリース操作をおこない得る形態とし、かつ左右略同様の操作性を確保しながら、カメラ背面側に配設される複数の操作部材の操作性をも考慮した部材配置を実現し、常に良好な操作性を得ることのできるカメラを提供することができる。
【発明を実施するための最良の形態】
【００１５】
以下、図示の実施の形態によって本発明を説明する。 
図１〜図５は、本発明の一実施形態のカメラを示している。このうち、図１は本カメラの外観を示す正面図である。図２は本カメラの外観を示す上面図である。図３は、本カメラの外観を示す背面図である。図４は本カメラの外観を示す底面図である。図５は本カメラの内部構成を示すブロック構成図である。また、図６は本カメラが右手で把持されている際の様子を示す図である。図７は本カメラが左手で把持されている際の様子を示す図である。
【００１６】
本実施形態のカメラ１は、光学像を受けて光電変換することで電気信号として記録するデジタルカメラであって、右手で使用される際の右手姿勢（図６参照）と、この右手姿勢に対して天地逆転した姿勢であって左手で使用される際の左手姿勢（図７参照）との二つの姿勢のいずれか一方で使用し得るように構成したものである。
【００１７】
なお、以下の説明においては、カメラ１を右手姿勢で使用する際の状態を基本的な姿勢として説明している。したがって、本カメラ１の本体部１０についての上面というときは、本カメラ１を右手姿勢で使用するときの上面を指し、図２で示す面が上面となる。また、本カメラ１の本体部１０についての底面というときは、本カメラ１を右手姿勢で使用するときの底面を指し、図４で示す面が底面となる。
【００１８】
また、図１はカメラ１を右手姿勢で使用する際の状態を示している一方、図３はカメラ１を左手姿勢で使用する際の状態を示している。
【００１９】
図１〜図４に示すように、カメラ１の本体部１０は、略直方体形状に形成されている。この本体部１０の内部には、電気基板等の主要構成部材（特に図示せず）が配設されており、その外面は外装部材によって覆われている。
【００２０】
本体部１０の前面には、図１に示す状態で本体部１０の前面に向かって略中央部近傍からやや右寄りの部位に撮影レンズ１１が配置されている。この撮影レンズ１１の周縁部近傍であって右側縁部近傍の所定の部位には閃光発光窓１２が設けられている。
【００２１】
撮影レンズ１１と閃光発光窓１２とは、本体部１０における長辺に沿う中心線Ｃ上に配置されている。つまり、本体部１０を右手姿勢としたときと左手姿勢としたときのいずれの場合にも、撮影レンズ１１と閃光発光窓１２とは上下方向で対称となるように配置されている。
【００２２】
そして、図１に示す状態で本体部１０の前面に向かって左側部は、使用者が把持するグリップ部１４となっている。
【００２３】
このグリップ部１４は、図６に示すように本体部１０を右手姿勢としたときには、本体部１０の背面から見て右側部に配置されて、右手によって把持される部分となる。一方、図７に示すように本体部１０を左手姿勢としたときには、本体部１０の背面から見て左側部に配置されて、左手によって把持される部分となる。したがって、グリップ部１４は、右手姿勢としたときにおいても、左手姿勢としたときにおいても、使用者の利き手によって把持される共通の部分となっている。
【００２４】
そして、このグリップ部１４の内部には、電源電池１８を収納するための電池室１７が形成されている。
【００２５】
本体部１０の上面には、図２に示す状態で本体部１０の上面に向かって左寄りの部位に第１レリースボタン１５が配設されている。この第１レリースボタン１５は、本カメラ１の本体部１０を右手姿勢とし、グリップ部１４を図６のように使用者が右手で把持したときに、本体部１０の背面から見て上面右側となる位置に配置され、例えば右手の人差指によって押圧し得る位置に配置されている。つまり、第１レリースボタン１５は、本カメラ１を右手姿勢で使用する際の第１撮影指示部材となっている。
【００２６】
本体部１０の前面から見て左側面の略中央部には、ストラップ，吊りひも等を連設する吊り環１３が配設されている。
【００２７】
本体部１０の底面には、図４に示す状態で本体部１０の底面に向かって左寄りの部位に電池蓋１９が配設されている。この電池蓋１９は、図１の点線でも示されるように本体部１０の電池室１７の開口に対して開閉自在に形成されている。そして、電池蓋１９を開状態としたときには、電池室１７の内部に対して電源電池１８を着脱することができるようになっている。この電池蓋１９は、閉状態から開状態とするには、まず図１に示す矢印Ｘに沿う方向へ所定量だけ摺動させた後、続いて同図矢印Ｒに沿う方向へと回動させることにより実現し得るような機構となっている。また、電池蓋１９を開状態から閉状態とするには、図１の矢印Ｒに沿う方向へと回動させた後、同図矢印Ｘに沿う方向へ所定量だけ摺動させると、所定の位置でロック機構が作用するようになっている。これにより、電池蓋１９は本体部１０に対して閉状態が維持されるように構成されている。このような電池蓋１９の開閉機構は、一般的に用いられている機構であるので、特に詳細な図示は省略している。
【００２８】
電池蓋１９には、図１及び図４に示すように第２レリースボタン１６が一体となるように配設されている。この第２レリースボタン１６は、本カメラ１の本体部１０を左手姿勢とし、本体部１０のグリップ部１４を図７のように使用者が左手で把持したときに、本体部１０の背面から見て上面左側となる位置に配置され、例えば左手の人差指にて押圧し得る位置に配置されている。つまり、第２レリースボタン１６は、本カメラ１を左手姿勢で使用する際の第２撮影指示部材となっている。
【００２９】
本体部１０の背面には、図３に示す状態で本体部１０の背面に向かって略中央部近傍からやや右寄りの部位に液晶表示装置（ＬＣＤ）等からなる画像表示部２０が配設されている。この画像表示部２０の画像表示面は、本体部１０における長辺に沿う中心線Ｃに対して上下方向で略対象となる位置に配置されている。
【００３０】
画像表示部２０を挟んで、その両側縁部近傍には、複数の操作部材からなる一群の操作部が配設されている。この場合において、画像表示部２０の一方の側縁部近傍であってグリップ部１４寄りの部位には第１の操作部である第１操作部２１が配設されている。また、画像表示部２０の他方の側縁部近傍には第２の操作部である第２操作部３１が配置されている。
【００３１】
第１操作部２１は、ダイヤル操作部材である回転ダイヤル２２と、ワイドボタン２３，テレボタン２４，バックボタン２５，メニューＯＫボタン２６によって形成されるいわゆる十字ボタンまたはＸＹボタン等としての方向指示操作手段等の操作部材からなる。
【００３２】
この第１操作部２１の各操作部材は、撮影動作時には、主に撮影に先立っておこなわれる撮影条件等の設定操作（回転ダイヤル２２，バックボタン２５，メニューＯＫボタン２６等による）や撮影レンズ１１の変倍操作（ワイドボタン２３，テレボタン２４等による）等をおこなうのに用いられる。
【００３３】
また、再生動作時には、主に撮影済みの画像を画像表示部２０に表示させる際の各種の操作、例えば表示画像の部分拡大表示や縮小表示操作（ワイドボタン２３，テレボタン２４等による）または表示させるべき画像の選択操作（回転ダイヤル２２等による）等をおこなうものである。
【００３４】
そのために第１操作部２１は、グリップ部１４に近い部位であって、当該グリップ部１４を把持する側の手、すなわち利き手の拇指で操作しやすい位置に配置されている。そして、各ボタン上や各ボタンの近傍には、個々のボタンの機能を視覚的に識別しやすい形態、例えば絵や文字等によって示す指標２７，２８が設けられている。
【００３５】
第２操作部３１は、撮影済みの画像を消去する際に操作する消去ボタン３２と、カメラ１が電源オフ状態にあるときに再生モードで起動させる操作またはカメラ１が電源オン状態にあって撮影モードで起動しているときに再生モードへの切り換え指示をおこなう操作部材である再生開始ボタン３３と、カメラ１の電源断（オフ）を指示する電源オフボタン３４と、カメラ１が電源オフ状態にあるときはカメラ１を静止画撮影モードで起動させる操作またはカメラ１が電源オン状態にあって再生モードもしくは動画撮影モードで動作中であるときに静止画撮影モードへの切り換え指示をおこなう操作部材である静止画撮影開始ボタン３５と、カメラ１が再生モードもしくは静止画撮影モードで動作中であるときに動画撮影モードへの切り換え指示をおこなう操作部材である動画撮影切換ボタン３６等の一群の操作部材からなる。
【００３６】
この第２操作部３１の各操作部材は、当該カメラ１の動作開始以前におこなう各種の操作、例えば電源オンオフ操作や動作モードの選択操作もしくは再生時におこなう操作等を主におこなうものである。
【００３７】
第２操作部３１は、グリップ部１４とは反対側の側縁部近傍にあるので、当該グリップ部１４を把持する側とは反対側の手で操作されることになる。
【００３８】
そして、各ボタン３２〜３６のそれぞれの近傍及びボタン上には、撮影時及び再生時における各ボタンの機能を表わすための指標３７が、例えば絵や文字等の視覚的に識別しやすい形態でそれぞれ示されている。
【００３９】
なお、上記第１操作部２１における指標２７，２８と上記第２操作部３１における指標３７は、各操作部材の指示内容を示すものである。
【００４０】
そして、各指標２７，２８，３７は、本カメラ１の本体部１０の長手方向に沿う中心線Ｃを垂線とし、かつグリップ部１４を下側とした姿勢の本体部１０の背面を見たとき、正規の状態で視認し得るように附されている。
【００４１】
第１操作部２１と第２操作部３１との一群の操作部は、本体部１０における長辺（長手方向）に沿う中心線Ｃに対して略対称となるように各操作部材が配置されている。これにより、本体部１０を右手姿勢で使用するときと左手姿勢で使用するときのいずれの場合にも、操作性が略同様となるように各操作部材が配置されている。
【００４２】
本カメラ１の内部には、図５に示すように撮影レンズ１１によって結像される被写体像を受けて光電変換する撮像素子４１と、この撮像素子４１によって生成される電気信号を受けてディジタル化等の信号処理を施す撮像部４２と、この撮像部４２からの出力を受けて各種の画像処理をおこなって画像データを生成する画像処理部４３と、この画像処理部４３によって生成される画像データを画像表示部２０を用いて表示するのに最適な形態の表示形式のデータに変換処理する表示処理部４４と、上記画像処理部４３によって生成される画像データについての圧縮処理や画像保存メモリ４８（後述する）から読み出した圧縮データについての伸張処理を施す圧縮伸長部４５と、この圧縮伸張部４５によって圧縮処理された圧縮データを記録する画像保存メモリ４８と、上記圧縮伸張部４５と上記画像保存メモリ４８との間に介在し両者間における信号授受をおこなうメモリインターフェース（Ｉ／Ｆ）４６と、上記画像処理部４３によって生成される画像データを一時的に記憶する画像バッファメモリ４７と、上記画像処理部４３から表示形式の画像データを受けて画像を表示する画像表示部（図５では単に表示部と表記している）２０と、各種プログラムデータ等が予め格納されているロム（ＲＯＭ）４９と、本カメラ１の全体を制御する制御手段であるＣＰＵ５０と、第１撮影指示部である第１レリースボタン１５と、第２撮影指示部である第２レリースボタン１６と、その他上述した各種操作部材を含む一群の操作部２１，３１と、本体部１０の姿勢を検知する姿勢検出手段である方向センサー５１等によって主に構成されている。
【００４３】
方向センサー５１は、本体部１０が、図６で示すように右手１００Ｒで使用される際の右手姿勢にあるか、図７で示すように左手１００Ｌで使用される際の左手姿勢にあるかを検出する姿勢検出手段である。
【００４４】
この方向センサー５１の検出結果はＣＰＵ５０へと伝達される。これを受けてＣＰＵ５０は、表示処理部４４を制御して表示部２０に表示する画像の天地を適切な方向となるように制御する。また、カメラ１が図６に示す姿勢を検出した時には、二つのレリースボタン（１５，１６）のうち第１レリースボタン１５の操作を有効とする一方、カメラ１が図７に示す姿勢を検出した時には、二つのレリースボタン（１５，１６）のうち第２レリースボタン１６の操作を有効とする制御がなされる。
【００４５】
このように構成される本実施形態のカメラ１を使用するのに際しては、右利きの使用者は、図６に示すようにグリップ部１４を右手１００Ｒで把持し、撮影動作時には右手人差指等によって第１レリースボタン１５を押圧する。また、撮影動作に先立って、例えば撮影条件の設定等をおこなう際には、右手拇指を用いて第１操作部２１の各操作部材を操作する。
【００４６】
なお、このとき、第２操作部３１の操作は、左手（図６では図示せず）を用いて操作することになる。第２操作部３１を操作するのは次に示すような場合である。例えば電源オンオフ操作や、撮影動作時における動画撮影モードと静止画撮影モードとの動作の切り換え操作や、再生動作時における再生開始ボタン３３や消去ボタン３２による画像再生及び消去指示操作等である。
【００４７】
さらに、このとき方向センサー５１が本体部１０の姿勢を図６で示す姿勢、すなわち右手１００Ｒで使用される際の右手姿勢にあることを検出する。すると、その検出信号を受けてＣＰＵ５０は、表示処理部４４及び画像処理部４３等を制御して、画像表示部２０に表示されるべき画像の天地方向が本体部１０の右手姿勢に応じた形態となるように所定の画像処理をおこなう。これにより、画像表示部２０には、図６に示すように天地方向が正常な状態で画像が表示される。
【００４８】
一方、本実施形態のカメラ１を使用するのに際して、左利きの使用者は、図７に示すようにグリップ部１４を左手１００Ｌで把持し、撮影動作時には左手人差指等によって第１レリースボタン１５を押圧する。また、第１操作部２１の各操作部材は左手拇指を用いて操作する。また、第２操作部３１の操作は右手（図７では図示せず）を用いて操作することになる。
【００４９】
さらに、このとき方向センサー５１が本体部１０の姿勢を図７で示す姿勢、すなわち左手１００Ｌで使用される際の左手姿勢にあることを検出する。すると、その検出信号を受けてＣＰＵ５０は、表示処理部４４及び画像処理部４３等を制御して、画像表示部２０に表示されるべき画像の天地方向が本体部１０の左手姿勢に応じた形態となるように所定の画像処理をおこなう。これにより、画像表示部２０には、図７に示すように天地方向が正常な状態で画像が表示される。
【００５０】
以上説明したように上記一実施形態によれば、カメラ１の本体部１０を右手姿勢としたときには、本体部１０の背面から見て右側部にグリップ部１４が配置され、かつ本体部１０の背面から見て上面右側に第１レリースボタン１５（第１撮影指示部材）が配置されるように構成している。
【００５１】
これと同時に、カメラ１の本体部１０を左手姿勢としたときには、本体部１０の背面から見て左側部にグリップ部１４が配置され、かつ本体部１０の背面から見て上面左側に第２レリースボタン１６（第２撮影指示部材）が配置されるように構成している。
【００５２】
さらに、本体部１０の長手方向に沿う中心線Ｃに対して略対称となるように一群の操作部を配置すると共に、この一群の操作部の各操作部材に附される指標２７，２８，３７は、中心線Ｃを垂線としかつグリップ部１４を下側とした姿勢の本体部１０の背面を見たときに正規の状態で視認し得るように附されている。
【００５３】
したがって、これによりカメラ１の本体部１０を天地逆転した姿勢とするのみで、把持する手を左右いずれの側ともすることができる。そして、把持する手を持ち替えた場合においても、略同様の操作性を確保することができる。つまり、使用者は常に利き手で主要な操作をおこなうことができることになる。
【００５４】
また、一群の操作部を本体部１０の長手方向に沿う中心線Ｃに対して略対称となるように配置したことから、複数の操作部材がバランスよく配列される。したがって、視覚的に見易い操作体系とすることができる。
【００５５】
加えて、閃光発光窓１２や撮影レンズ１１をも本体部１０の長手方向に沿う中心線Ｃに対して略対称となるように配置したので、右手姿勢と左手姿勢とのカメラ１の姿勢によらず撮影結果に大きな影響が及ぶことはない。ただし、閃光発光時には閃光の照射方向が異なるが、その照射角度は同様になる。
【００５６】
また、左手姿勢時に使用する第２レリースボタン１６を電池蓋１９に一体に配設したので、カメラ１の本体部１０の内部空間における省スペース化に寄与することができる。
【００５７】
カメラ１の背面側に配設する複数の操作部材からなる一群の操作部は、撮影動作時の各種設定操作や再生動作時の各種表示操作等を主におこなうための複数の操作部材からなる第１操作部２１と、カメラ１の動作開始以前におこなう各種の操作（電源オンオフ操作等）もしくは再生時におこなう操作等を主におこなうための複数の操作部材からなる第２操作部３１との二つの群に機能を考慮して分け、前者（第１操作部２１）を利き手で操作し得る部位に、後者（第２操作部３１）を利き手とは反対側の手で操作し得る部位に、かつそれぞれを画像表示部２０の両側縁部近傍に配置している。これにより、操作部材の効率的に配置することができ、よって操作性の向上に寄与することができる。
【００５８】
さらに、グリップ部１４の近傍に、比較的操作頻度の高い回転ダイヤル２２やＸＹボタンを形成する操作部材からなる第１操作部２１を配置している。したがって、利き手によって操作し易い位置に複雑な操作を必要とする操作部材を配置することで、より一層の操作性の向上に寄与することができる。
【図面の簡単な説明】
【００５９】
【図１】本発明の一実施形態のカメラの外観を示す正面図。
【図２】図１のカメラの外観を示す上面図。
【図３】図１のカメラの外観を示す背面図。
【図４】図１のカメラの外観を示す底面図。
【図５】図１のカメラの内部構成を示すブロック構成図。
【図６】図１のカメラが右手で把持されている際の様子を示す図。
【図７】図１のカメラが左手で把持されている際の様子を示す図。
【符号の説明】
【００６０】
１……カメラ
１０……本体部
１４……グリップ部
１５……第１レリースボタン
１６……第２レリースボタン
２０……画像表示部
２１……第１操作部
２２……回転ダイヤル
２３……ワイドボタン
２４……テレボタン
２５……バックボタン
２６……メニューＯＫボタン
２７，２８，３７……指標
３１……第２操作部
３２……消去ボタン
３３……再生開始ボタン
３４……電源オフボタン
３５……静止画撮影開始ボタン
３６……動画撮影切換ボタン
５０……ＣＰＵ
５１……方向センサー
Ｃ……中心線
【図１】
2006343429.tif 000003
【図２】
2006343429.tif 000004
【図３】
2006343429.tif 000005
【図４】
2006343429.tif 000006
【図５】
2006343429.tif 000007
【図６】
2006343429.tif 000008
【図７】
2006343429.tif 000009